(57)【要約】【課題】回転弁の弁体の開き度を遠方からでも容易且つ確実に視認できる装置を提供しようとする。【解決手段】回転弁の弁軸とともに回動する表示部と、表示部を覆って回転弁に固定されるカバーとで表示装置を構成し、表示部の表面を回動方向に分割された複数の領域に分け、隣接する領域に異なる色を付与し、他方カバーも回動方向に分割された複数個の領域に分け、そのうちの少なくとも１個の領域を透視可能とし、その余の領域を透視不能にして透視可能領域から表示部の色を透視する。【選択図】      図１
2004324665.tif 000002
【特許請求の範囲】
【請求項１】
回転弁の弁体を支える弁軸とともに回動する表示部と、表示部を覆って回転弁の弁本体がわに固定されるカバーとからなる回転弁の開度表示装置において、上記表示部は、その表面に弁軸方向に延びる境界線が存在し、表面が回転弁の全閉位置を中心とする閉塞領域と、全開位置を中心とする開放領域とに分割され、閉塞領域と開放領域とは異色に着色されており、上記カバーにも弁軸方向に延びる境界線が存在して全体が複数個の領域に分割され、そのうちの少なくとも１つの領域が透視可能とされ、その余の領域が透視不能とされて、透視可能領域から表示部の色を透視できることとしたことを特徴とする、回転弁の開度表示装置。
【請求項２】
各閉塞領域と開放領域との間に唯一本の境界線が存在するのみで、閉塞領域と開放領域とが隣接していることを特徴とする、請求項１に記載の回転弁の開度表示装置。
【請求項３】
表示部を半球状にするとともに、カバーも半球状にしたことを特徴とする、請求項１又は２に記載の回転弁の開度表示装置。
【請求項４】
カバーが透明のプラスチックで一体に成形されて、透視可能な領域は透明状態とされ、その余の流域は表面又は裏面に不透明皮膜を貼り付けて透視不能にされていることを特徴とする、請求項１−３の何れか１つの項に記載の回転弁の開度表示装置。
【請求項５】
表示部の閉塞領域が赤色に着色され、表示部の開放領域が黄色に着色され、カバーの透視不能領域が黒色に着色されていることを特徴とする、請求項１−４の何れか１つの項に記載の回転弁の開度表示装置。
【請求項６】
回転弁にアクチュエータが付設され、表示部はアクチュエータの駆動軸に固定され、カバーはアクチュエータのケースに固定されて、カバーの透視可能領域がアクチュエータのハンドル付設方向に向いていることを特徴とする、請求項１−５の何れか１つの項に記載の回転弁の開度表示装置。
【請求項７】
アクチュエータの駆動軸の先端が偏平にされ、表示部の内面頂上部にスリットの設けられた突出部が付設され、一端に薄片部が設けられ他端に二股部が設けられた接続具であって、上記薄片部は上記スリットに嵌合して固定され、二股部は駆動部の先端を挟んで固定される接続具を介して、表示部をアクチュエータに固定してなる請求項６に記載の回転弁の開度表示装置。
【発明の詳細な説明】
【０００１】
【産業上の利用分野】
この発明は回転弁の開度表示装置に関するものである。とくにこの発明は、開度表示装置に施された色彩の相違によって、回転弁の開度を遠く離れた場所からでも、容易且つ確実に視認することのできる開度表示装置に関するものである。
【０００２】
【従来の技術】
バタフライ弁又はボール弁のような回転弁では、これに開度表示装置を付設して、弁体の開き具合を知ることが必要とされる。
【０００３】
回転弁の開度表示装置としては、色々な構造のものが知られている。それは、例えば実開昭５５−３４５８７号、同昭５５−６８７７１号、及び同昭５５−１６５１６８号公報などに記載されている。
【０００４】
これらの開度表示装置は、何れも表示部とこれを覆うカバーとで構成されている。そのうちの表示部は、円筒体からなり、その外面に円周方向に沿って弁体の開閉を示す文字又は記号が記載されている。カバーは表示部に合わせて円筒状とされ、その円筒の一部が切欠されて開放窓とされ、その窓を通して表示部の文字又は記号が視認できるようにされている。従って、開度表示装置は、カバーの開放窓から表示部の文字又は記号を読み取り、これによって弁体の開度を知る、という機構のものであった。
【０００５】
表示部の文字又は記号をカバーの開放窓を通して正確に読み取ることは容易でない。また、回転弁は屋外に付設されることが多いために表示部の文字又は記号は風雨に曝されて次第に不鮮明となる。その上に、回転弁は人の近づき難い場所に設置されることもある。従って、従来の開度表示装置では弁体の開き具合を常に正確に読み取ることは困難であった。そこで、このような困難を解消し、遠方からでも容易且つ確実に回転弁の開度を視認できる装置の提供が望まれた。
【０００６】
【発明が解決しようとする課題】
この発明は上記の要望に応じて生れたものである。すなわち、この発明は、回転弁の弁体の開き度を遠方からでも容易且つ確実に視認できるような装置を提供しようとしてなされたものである。
【０００７】
【課題解決のための手段】
この発明者は、回転弁の開度を色彩の変化によって視認することを思い付いた。すなわち、回転弁の開度表示装置を従来装置と同じように、回転弁の弁体を支える弁軸とともに回動する表示部と、表示部を覆って回転弁の弁本体がわに固定されるカバーとで構成することとするが、表示部の表面には文字や記号を表示する代わりに、広い範囲にわたって異なる色を塗布することを考えた。実際、表示部の外面を回動方向に区分して、各区分に異なる色を付与しておくと、表示部の回動に伴なう色の変化はこれを一瞥するだけで、従来の文字又は記号よりも遥かに容易且つ確実に知覚できることを見出した。この発明は、このような知見に基づいて完成されたものである。
【０００８】
この発明は、表示部の表面には回転弁の弁軸方向に延びる境界線が存在して、表面が回転弁の全閉位置を中心とする閉塞領域と、全開位置を中心とする開放領域とに分割されて、閉塞領域と開放領域とには異なる色彩が付与されており、他方、カバーにも弁軸方向に延びる境界線が存在して、全体が複数個の領域に分割され、そのうちの少なくとも１つの領域が透視可能とされ、その余の領域が透視不能とされて、透視可能領域から表示部の色を透視できることとしたことを特徴とする、回転弁の開度表示装置である。
【０００９】
上記の表示装置では、表示部の閉塞領域と開放領域との間に、１個又は２個以上の半開閉領域を設けて、半開閉領域にさらに異なる色彩を付与して開度を細かく知ることもできる。しかし、最も簡単なのは、各閉塞領域と開放領域との間に唯一本の境界線が存在するのみで、閉塞領域と開放領域とが隣接している場合である。
【００１０】
この場合には、表示部は回動方向に４等分されて全閉位置を中心とし、その両側にほぼ４５度の中心角の範囲に広がる閉塞領域と、全開位置を中心としてその両側にほぼ４５度の中心角の範囲に広がる開放領域とからなるものである。この場合の表示部は、４個の領域のうち１つおきに閉塞領域と開放領域とを持ったものとなる。このときのカバーは回動方向に沿って矢張り４等分され、そのうちの２個の領域が透視可能とされ他の２個の領域が透視不能とされる。
【００１１】
この発明では、表示部を半球状の殻で構成することが好ましい。また、表示部は熱可塑性合成樹脂を材料とし、射出成形によって作られることが好ましい。この場合には、弁軸方向に延びる境界線は改めて設ける必要がない。それは予め所望の色に着色された皮膜を金型内に当接しておき、その皮膜を射出する樹脂により金型内で融着することによって、自然に境界線が形成されるからである。
【００１２】
表示部は半球の頂上部に断面が真円形の窪みを備えていることが好ましい。この窪みはのちに述べるカバーの内面から突出する円形軸と噛み合って、表示部の回動を円滑にする。
【００１３】
また、表示部は、内面の頂上部に弁軸がわに固定されるための突起を備えていることが好ましい。この突起はスリットを形成して、のちに述べる接続具の薄片部を収容して、これを固定するためのものである。接続具は表示部をアクチュエータの駆動軸に固定するために必要とされる。
【００１４】
カバーは、上記表示部の形状に見合った半球状の殻と、殻の開口端に位置するフランジとが一体となった形状とされる。カバーは、透明の熱可塑性合成樹脂で一体に射出成形することによって作ることが好ましい。この場合には、前述の表示部と同様に弁軸方向に延びる境界線を改めて付設する必要がない。なぜならば、透視可能な領域は透明な合成樹脂がそのまま存在するだけで足り、透視不能な領域は、例えば黒色に着色された不透明皮膜を金型内に付設しておき、成形時に金型内で射出する透明樹脂により融着することによって作られることとなるからであって、境界線は自然に形成されることとなるからである。
【００１５】
上記フランジはカバーを回転弁の弁本体がわに固定するためのものである。また、カバーはその内面の頂上部に円形軸を突出させている。この円形軸は、既に述べたように、表示部の頂上部にある窪みに陷入して、表示部の回動を円滑にする役目を果たす。
【００１６】
カバーの透視不能な領域は透視可能な領域よりもやや広めの幅を持っていることが好ましい。これは、表示部の１つの着色領域だけを確実に視認できるようにするためである。
【００１７】
【発明実施の態様】
この発明を実施の一例について図面に基づき説明すると次のとおりである。図は、何れも表示部の表面を回動方向に４等分した場合の実施例であって、閉塞領域と開放領域とが直接境を接している場合を示している。しかし、この発明はこれに限らない。必要ならば閉塞領域と開放領域との間に、１又は２個以上の半開閉領域を設けることができる。
【００１８】
図１は、この発明に係る開度表示装置が、アクチュエータを介してバタフライ弁に付設されるときの状態を分解した斜視図によって示している。図２は、この発明に係る開度表示装置のアクチュエータへの付設状態を示した一部切断側面図である。図３は、この発明に係る開度表示装置がアクチュエータを介してバタフライ弁に付設された状態を示した側面図である。
【００１９】
図１において、この発明に係る回転弁の開度表示装置Ｘは、表示部１とこれを覆うカバー２とで構成される。表示部１は半球殻状に合成樹脂で一体に成形して作られており、その外面の頂上部には円形の窪み１０が形成されている。窪み１０はカバーの内面の頂上部に付設された円形軸を受け入れて、これを中心として表示部１がカバー２内で回動することを円滑にするためのものである。
【００２０】
表示部１の表面は、弁軸方向に延びる境界線１１によって回動方向に４等分されて、４個の領域１２、１３、１４等に分割されている。４個の領域のうち、互いに隣接する領域は異なる色に着色され、互いに向き合う領域は同じ色に着色されている。例えば、領域１２と１４とは、黄色に着色され、領域１３とこれに向き合う領域は、赤色に着色される。
【００２１】
表示部１は、図１に示した接続具３によってアクチュエータの駆動軸５４に接続される。表示部１は内面頂上部に図２に示した突起１７を備え、突起には接続具３の薄片部３１を丁度収容して固定できるだけのスリットが設けられている。接続具３の二股部分３２は、アクチュエータの駆動軸５４を両側から挟んで固定するためのものである。接続具３は、二股部分３２によって駆動軸５４に固定されて、駆動軸とともに回動し、これによって表示部１を駆動軸とともに回動させる役目を果たす。
【００２２】
カバー２は、透明な合成樹脂を材料として半球殻状に射出成形によって一体に作られている。半球殻の開口線には、アクチュエータへの接続のためのフランジ２６が一体に付設されている。また、カバー２の内面頂上部には円形柱が付設されて表示部の窪み１０へ嵌まり込むようになっている。
【００２３】
カバー２の表面は、弁軸方向に延びる境界線２１によって４等分されて、４個の領域２２、２３・・・２５等に分割されている。そのうち、アクチュエータのハンドル５１の付設方向に向く領域２３は透視可能領域とされている。それとともに領域２３と向き合う領域２５も透視可能領域とされている。
【００２４】
その余の領域、例えば領域２２は透視不能とされる。そのために領域２２から頂上部を経て領域２２と向き合う領域へわたるところには、合成樹脂製の不透明皮膜が当接されて、皮膜が透視可能領域を構成する透明樹脂と融着されて一体となっている。こうして、カバー２も、弁軸方向に延びる境界線を付設することなく、射出成形によって一挙に透視可能領域と透視不能領域とを形成することとなる。
【００２５】
アクチュエータＢは、図１に示したように、ハンドル５１によって回転せしめられるウォーム５２と、このウォームと噛み合う歯車５３と、この歯車によって回動される駆動軸５４とが、ケース５５内に収容されて構成されている。こうして構成されたアクチュエータＢは駆動軸５４をケース５５から露出させている。駆動軸５４の先端は偏平にされている。
【００２６】
そこで、こうして組み立てられているアクチュエータＢの駆動軸５４の先端偏平部へ接続具３の二股部３２を嵌め込んで、接続具３を駆動軸５４に固定する。次いで、接続具３の薄片部３１を表示部１の内側頂上部に付設された突起のスリットへ挿入し固定して、表示部１を弁軸がわに固定する。その後、表示部１の上へカバー２を被せ、カバーの円形柱を表示部の窪み１０へ陷入させ、フランジ２６をケース５５に固定して、カバー２をアクチュエータに付設する。こうして、この発明に係る開度表示装置Ｘがアクチュエータに付設される。
【００２７】
この発明に係る開度表示装置ＸがアクチュエータＢに付設された状態が、断面図として図２に示されている。表示部１は内面頂上部に突起１７が付設され、突起１７には接続具の薄片部３１を丁度収容するだけのスリットが形成されていて、接続具が嵌められる。そして接続具の二股部は、図示されていないアクチュエータＢの駆動軸に固定される。こうして表示部１は弁軸とともに回動できるものとされる。
【００２８】
図３は、この発明に係る開度表示装置Ｘが、アクチュエータＢを介してバタフライ弁Ａに付設された状態を示している。図３では、アクチュエータＢのハンドル５１が付設されている方向に向くカバーの領域２３が透視可能とされており、また、領域２３と向き合う領域２５も透視可能とされている。
【００２９】
図３ではバタフライ弁Ａの弁体６１が流体通路を全閉しているので、表示部は閉塞領域をカバーの透視可能領域２３に位置させている。従って閉塞領域が赤色に着色されておれば、透視可能領域２３全体に赤色が見られることになる。その後、弁体６１が回動されて全開状態となると、透視可能領域２３に開放領域が位置し、例えば黄色の開放状態を示す色が見られる。その途中では赤色と黄色とが混じって現れるが、その２つの色は明確に区別されている。こうして、色の変化によって弁体の開き度を知ることができる。この場合、色の変化は見まちがうことが少ないから、これによって弁体の開き角度を遠くからでも容易且つ確実に知ることができる。
【００３０】
【発明の効果】
この発明によれば、回転弁の弁体を支える弁軸とともに回動する表示部と、表示部を覆って回転弁の弁体がわに固定されるカバーとで開度表示装置を構成し、表示部はその表面に弁軸方向に延びる境界線が存在して、全閉位置を中心とする閉塞領域と全開位置を中心とする開放領域とに表面が分割され、閉塞領域と開放領域とを異色にしたので、色が表示部の頂上部から下部まで広い範囲にわたって広がっており、他方、カバーにも弁軸方向に延びる境界線が存在して全体が複数個の領域に分割され、そのうちの少なくとも１つの領域が透視可能にされるとともに、その余の領域が透視不能とされているので、表示部の１個の領域に広がる色がそのままカバーの透視可能な領域を通して視認できることとなり、色の変化は視認し易いので弁の開き角度を表示部の色の変化により遠くからでも容易且つ確実に認知することができる。
【００３１】
とくに、閉塞領域を赤色に開放領域を黄色に、カバーの透視不能領域を黒色に着色しておけば、赤と黄とは遠いところからでも視認し易い色であるため、カバーの透視不能部における黒色との対照により、色の変化を一層容易且つ確実に視認することができる。これによって、回転弁の開度を確実に知ることができる。
【００３２】
また、カバーに切欠窓を設けないで、透視可能な領域を透明な合成樹脂が覆っているので、表示部の色が汚れるおそれがなくなっている。また、表示部もカバーも半球状としたので表面に付着した汚物が取り去られ易く、従って永く清潔に保つことができる。
【００３３】
さらに、表示部の着色部分とカバーの透視不能領域を予め着色した皮膜で構成し、射出成形によって一体に融着させることとすれば、着色の手間をかけないで着色層を厚くすることができ、従って退色のおそれなく永く使用することができる。この発明は、このような利益を与えるものである。
【図面の簡単な説明】
【図１】この発明に係る回転弁の開度表示装置が、アクチュエータを介してバタフライ弁に付設される状態を示した分解斜視図である。
【図２】この発明に係る回転弁の開度表示装置のアクチュエータへの付設状態を示した一部切断側面図である。
【図３】この発明に係る回転弁の開度表示装置のアクチュエータを介してバタフライ弁に付設された状態の側面図である。
【符号の説明】
１                                        表示部
２                                        カバー
３                                        接続具
１０                                      窪み
１１、２１                                境界線
１２、１３、１４、２２、２３、２５        領域
１７                                      突起
２６                                      フランジ
３１                                      薄片部
３２                                      二股部
５１                                      ハンドル
５２                                      ウォーム
５３                                      歯車
５４                                      駆動軸
５５                                      ケース
６１                                      弁体
Ａ                                        バタフライ弁
Ｂ                                        アクチュエータ
Ｘ                                        この発明に係る回転弁の開度表
示装置
【図１】
2004324665.tif 000003
【図２】
2004324665.tif 000004
【図３】
2004324665.tif 000005
【手続補正書】
【提出日】平成15年4月23日(2003.4.23)
【手続補正１】
【補正対象書類名】明細書
【補正対象項目名】請求項４
【補正方法】変更
【補正の内容】
【請求項４】
カバーが透明のプラスチックで一体に成形されて、透視可能な領域は透明状態とされ、その余の領域は表面又は裏面に不透明皮膜を貼り付けて透視不能にされていることを特徴とする、請求項１−３の何れか１つの項に記載の回転弁の開度表示装置。